(57)【要約】      （修正有） 【課題】もぐら及びねずみを捕捉する簡単な捕獲具を提供する。【解決手段】もぐらを捕獲するため、隆起した通り跡の一部分に菜園用のスコップで土を取り除き器具に仕掛け棒をセットし土中に置く。捕獲用仕掛けのくし状の部分に新聞紙程度の物で土が入らない様にカバーし、土ないし、木の葉で両側を軽く固定し、摘み箇所の穴に凧糸を付け逃げない様に外の所に結び、上から新聞紙を、かぶせ、暗闇を作る。また、器具の出入り口は、隆起した状況で良い。もぐらは手が頑丈で器具を破損する恐れ有る為バネを調整し、サイド（両面脇）側から捕捉し、もぐらが暴れた時に、安定感を失い反転する方法で持久力を奪い捕獲する。【選択図】図３
0003163222.tif 000002
【実用新案登録請求の範囲】
【請求項１】
湾曲した、くし状の形態を有し双方向から進入し、バネ付勢に左右一対の、くし状の爪を常時閉状態に保持するクリップとクリップの左右の爪を開状態に保持する手段と通過する時、保持手段を解除することを備え、互い違いにクリップが交差により、もぐらとねずみ等の土中を潜って、移動する小動物を捕獲することを特徴とするモグラとねずみ捕獲具。
【請求項２】
本体と便利グッツ筒棒が、取り外し離接が容易に出来ることを特徴とする請求項1記載のモグラとねずみ捕獲具。
【考案の詳細な説明】
【技術分野】
【０００１】
モグラとねずみ捕獲具に関するものである。
【背景技術】
【０００２】
従来の器具は、用途により使え分けていたが、経験上段ボルに接着性のねずみ取が、よく取れ使い捨てと衛生的にも良い、器具的には、素晴らしく良い物が有り、さほど発展が、いまいちな、捕獲に工夫をするとより良い器具が出来ると思う。
【考案の開示】
【考案が解決しようとする課題】
【０００３】
モグラ、ねずみは、意外と範囲が広くモグラは、巣からの道順と餌探しの空け道と巣戻りの空洞がくっ付いて上下の空洞を有し、トンネル内で餌が、落ちてくるミミズを探知する。そこで、巣の近くに夜行性のモグラを板又は、ござ、ミシロ或は、ジュウタンなど簡単な敷物で、日光を遮断し、巣の近くに暗闇を創ってモグラやねずみの、道順を作ってあげ、一週間程度で敷物を取り家庭菜園用のスコップを用いて土を退けて、そこに器具を埋設し、側面にカバーか、紙、段ボル、木の葉、程度の物で土が入らない様に横側にセットしモグラの障害物を排除しょうと動く習性と往復習性を利用しバンスクリップ似の器具により仕掛け棒が解除され、挟み込み安定性が失い、反転する事により体力を奪う事で捕獲する。
【先行技術文献】
【特許文献】
【０００４】
【特許文献１】登録実用新案第  ３０１８７３８号
【特許文献２】特開２００７−１６３２４１
【考案の概要】
【課題を解決するための手段】
【０００５】
まず、湾曲した、くし状の形態を左右対称に互い違い状態にし、双方が噛み合わせにより獲物を捕獲する。端部部分に二ヶ所設け、兆通外を維持する中央上部に、仕掛けを構成し、接点と接点により、仕掛け棒がバランスにより支えられ、例え、相乗効果が生じ、（一本状の糸を結ばず真ん中を引きネジ回すと止まり負荷が、有ると解ける）仕掛け棒とクリップバネを利用して、双方向から進入し、モグラの往復習性を利用し、入ると仕掛け棒が離接により、互い違いに、両側サイドが閉じ身動き出来なく、捕捉を容易にした。  
【考案の効果】
【０００６】
モグラは、餌（ミミズ）に夢中で水田の土手に貫通し外に出て来て直ぐに地中に潜る為、モグラの穴も一定でなく、捕獲が難しいそれをモグラの隆起跡に菜園用スコップでモグラの捕獲器具を設置し、モグラを傷つけずに調整した、バネと柔軟性を持ち、先が丸みを帯びた構成により、生きた、まま捕獲し、ねずみは、害が大の為、バケツに水を張り溺死させる。モグラは、人に危害を与えないので、バケツに入れ山に帰してあげる。
【考案を実施するための形態】
【０００７】
畑に居るモグラは、種類が異なり大きいと小さいモグラの四種類いる  捕獲は、同じであり、ほぼ平らの所にモグラの通り跡を見つけたら土を少し跳ね器具を埋設し両サイドに土を、かぶして、元に戻すか、木の葉で両サイドに、土が入らない様に器具を固定した上から新聞紙を掛け隅に土をかぶせ、重り代わりにし、捕獲する、ねずみは土の上に設置し餌を仕掛けた棒に付け、器具の、つまみ部分の穴に凧糸を、紐をくぐり付けて、ねずみが捕獲すると、両サイドが閉じ反転する為、安心して待つだけ。
【実施例】
【０００８】
図１は、モグラの通り跡に板か、敷物を敷くと土面内に弱肉作用の環が起こり、日差しが怖いねずみも巣を作り成育された条件が整う。
１は、野ねずみの巣を現した穴  ねずみは、土の上にセットする。
２は、モグラとねずみの（熊ねずみ）巣を示し。
３は、へびの、巣穴で、首が、入る程度の小さく、蛇行して入る。
図２は、器具を180度回転させ進入方向を示した図。
（a）（b）も外形上相違点が余り無く、兆通外（蝶番、丁番）で形成され、縦割り状に、二分等し両側サイドから脇を包み挟む状態で、捕捉を容易にした。
【０００９】
図３は、正面図で外形上を示し女性が髪を束ねる時に使用するバンスクリップ状似の構成を上部に仕掛けを施した。
仕掛図は、上部中央部分に耳かき状の突起と突起の、一対二で、仕掛け棒を噛み挟み固定し外れると、クリップバネで、両サイドが互い違いに交差して挟む。
断面図は、（a）土中に器具をセットし両側サイドに新聞紙、段ボル、木の葉で、土が入らない様にカバーし、摘み箇所の穴に凧糸を通し何処かに結ぶ、器具の上に、新聞紙で暗闇を構成し左右対照的に開いた状態にバネと仕掛けを利用し左右の足を点で支え、仮安定器具を維持した図を示す。
(b)閉じた時の図で、仕掛け棒が外れ、安定を失った状況を示す図である。      
【００１０】
図４は、分解図で、１，２（a）（b）形状は、ほぼ変わらず、上部箇所に相違が有り、中央上部に仕掛け部分を構成した。  
３は、兆通外で端部に二箇所取付け４の間に、入る箇所。
４は、兆通外間に、３を収めた後の中央に８が入り９の結束ビスを投入し兆通外（バネ丁番）が構成さる。
５は、用途的な固定する箇所で、１１の筒状が、１６のツメが入り一方にスライド出来る様にカバーを構成した、マジックハンド。
６は、仕掛け部分を中央上部に示し、二箇所と合い一方が双方同じ向きで、段差の隙間に６の突起が挟む様に６'６６'に重なり、合う様に仕掛け棒を中に入れ三点で垂直に支えられ、クリップが、開いた状況で、通過、触れる事で、仕掛け棒が滑り又は、外れる様にし、閉じられ棒は、硬い釘か、爪楊枝で良い。  
７は、膨らみが有り手で開けるつまみ箇所で真ん中に穴が空いて捕捉した時に凧糸ないし荷物糸を通し獲物が逃げない様、括り付ける。尚１と７、２と７は、同等で名称が異なり後で１１と１２を取り付け箇所である。
８は、バネで兆通外により１と２を噛み合わせし、バネの先端は横、縦向き、どちらも良い。
９は、兆通外の連結ビス。
【００１１】
１０は、くし状の、すきま、溝をカバーで、両側に設置するが、さほど重要要素でないが、器具を埋設時に少しの土圧で固定と暗闇を創る事で、紙、段ボルでも良く、１０'も、爪楊枝か釘、マッチ棒、小枝で良く棒が、滑りにより外れて両サイドが閉じ又は、爪楊枝を折れる手前で、加工するか、小枝の折れそうな棒を挟みセットし、折れたら捕獲できる様にする。
特定図は、仕掛け部分を示した中央上部箇所に突起状の、（耳かき）緩やかな、本体１と平行に一箇所と２に二箇所段差にし上下中に６の突起部分が収まる様に示した図で仕掛け棒が垂直に立つ様に６と６'の三点で、仕掛け棒を互いに噛み合わせする突起部分。
拡大図は、便利グッツの筒棒に取付け状況を示した図の留め箇所。
図５は、構造図で互い方向に６が６'の隙間部分に入り仕掛け棒を噛み合わせ棒が外れると、クリップのバネで閉じる仕掛けを施した。
調整図は、仕掛け棒が垂直か又は、斜めでも良く微妙にも、鈍感にも爪楊枝の接する三点の1つを加工し傷か少し平らにすると調整出来る。  
平面図は、突起状の、耳かき、角状でも良く、緩やかなカーブになって仕掛け棒と接する箇所。
詳細図は、仕掛け部分の突起と仕掛け棒が互いに引き合う状態で、三点上の接点か点が、バランスを維持し一点でも欠けると、仕掛け棒が（爪楊枝）ズレにより崩れ両サイドが閉じて捕獲する。
図６の１１は、筒状の棒で便利状のグッツで、（マジックハンド）２のつまみ箇所７に設置し捕獲した時に衛生状に、１１と１２で取り扱い処理出来、7と11は、結合する部分は、簡易に取り外し可能で、７の半球状を上回る１１の筒状円形で、閉じた時に支障が無い様にし縦側に方向が出来る様にギザギザ状のＵ字型溝で、７の湾曲した、つまみ箇所を交わす振り子状に左右方向転換できる様にし湾曲した１６に合わせビスネジで固定し方向転換できる位で留める。
１２は、２のつまみ部分に太い針金状の折曲部分に入れ（１）と（２）順に入れ取り外し離接が簡単に出来る様にした。
１３は、１２の針金を調整したハンドルで、上下操作すると、マジックハンドルに成り、へび、狩りが出来、ごみ拾いも役立ち便利グッツで、もぐらとねずみは、衛生的に取り扱い使用できる。
尚、へびは、人間に対し被害を与えないので、害虫を退治する為、自然界に放置状が賢明である。
１４は、筒状の幅が有り１２の針金を循環し易く滑りと力を少しで、楽にハンドルが動く様にした。
１５は、金属棒を貫通させ左右を屈曲させ回転を促した。
１６は、無くてもよいが、安全上取れない様に湾曲状の弓形箇所にビスネジとワシャーで固定し施す。  
【図面の簡単な説明】
【００１２】
【図１】複成板絵柄図及び捕捉する種の巣穴図
【図２】半回転図
【図３】正面図と仕掛図及び断面図
【図４】分解図及び特定図と拡大図
【図５】構造図と調整図及び平面図と詳細図
【図６】取付図
【符号の説明】
【００１３】
１  湾曲状捕獲具の本体
２  湾曲状の兆通外付きと仕掛け箇所の本体  
３  兆通外の筒状内側箇所
４  兆通外の筒状外側箇所
５  便利グッツ筒状受け、留め突起部分
６  仕掛け部分突起部分  （６’）
７  摘み部分と針金貫通穴  
８  バネ
９  軸ビス
１０  カバー  （１０'）釘又は、爪楊枝
１１  便利グッツ筒棒
１２  太い針金
１３  ハンドル
１４  針金受け筒
１５  細い鉄芯  
１６  安全カバー
【図１】
0003163222.tif 000003
【図２】
0003163222.tif 000004
【図３】
0003163222.tif 000005
【図４】
0003163222.tif 000006
【図５】
0003163222.tif 000007
【図６】
0003163222.tif 000008
【手続補正書】
【提出日】平成22年7月20日(2010.7.20)
【手続補正１】
【補正対象書類名】実用新案登録請求の範囲
【補正対象項目名】全文
【補正方法】変更
【補正の内容】
【実用新案登録請求の範囲】
【請求項１】
湾曲した、くし状の形態を有し双方向から進入し、バネ付勢された左右一対の、くし状の爪を常時閉状態にクリップとクリップの左右の爪を開状態に保持する手段と通過する時、保持手段を解除するマッチ棒を備え、互い違いにクリップが交差により、モグラとねずみ等の土中を潜って、移動する小動物を捕獲することを特徴とするモグラとねずみ捕獲具。
【請求項２】
前記捕獲具は、クリップに設けられたつまみ箇所に穴を形成した事で、便利グッツ筒棒の着脱が容易にできることを特徴とする請求項１記載の捕獲具。